(57)【要約】【課題】可搬性が良く、使い勝手のよい電子ルーペを提供する。【解決手段】可撓性を有するフレキシブル基板１１の片面上に電子ペーパ１２及びタッチパネル１３を積層する。また、フレキシブル基板１１の他面上に、スキャナ部１５を形成する。これら可撓性を有するフレキシブル基板１１、電子ペーパ１２、タッチパネル１３、及びスキャナ部１５から構成される電子ルーペ１０は、フィルム状に形成され可撓性を有する。また、電子ルーペ１０の前面は、電子ペーパ１２による表示面及びタッチパネル１３による操作面を有し、他面には、原稿からの反射光を画像信号として読み取り可能な読み取り面を有する。このような電子ルーペ１０は、可搬性に優れ、また読み取り面、表示面及び操作面が一体となっているため、使い勝手に優れている。【選択図】        図２
2007034824.tif 000002
【特許請求の範囲】
【請求項１】
原稿上からの反射光を画像信号として読み取り、この画像信号を原稿データとして出力する読み取り部と、前記読み取り部の上に積層され、前記原稿データから選択的に表示画像信号を抽出する表示制御部を有するフレキシブル基板と、前記フレキシブル基板の上に積層され、前記表示制御部からの前記表示画像信号に基づく表示画像を表示する表示部と、前記表示部の上に積層され、前記表示制御部の操作を可能とし、透過性を有する操作部とから構成され、可撓性を有するフィルム状に形成される第１電子ルーペ本体と、
拡大倍率を指定する倍率指定手段と、第１拡大範囲を指定する第１拡大範囲指定手段と、前記第１拡大範囲内の前記原稿データを第１拡大候補データとして抽出する第１拡大候補データ抽出手段と、前記第１拡大候補データを前記拡大倍率に従って拡大変換処理を施し、第１拡大データを生成する拡大変換手段とを備える第１拡大データ生成手段とを備え、
前記第１拡大データ生成手段によって生成される前記第１拡大データが前記第１拡大画像となって前記表示部に表示されることを特徴とする電子ルーペ。
【請求項２】
前記第１電子ルーペ本体の片面が、
前記表示制御部の操作を行う操作面と、
前記表示制御部からの前記表示画像信号に基づく前記表示画像を表示する表示面を有し、
他面が、前記原稿上からの前記反射光を前記画像信号として読み取り可能な読み取り面を有することを特徴とする請求項１記載の電子ルーペ。
【請求項３】
前記第１拡大範囲指定手段が、
前記操作部上の押圧操作により前記操作部から出力される押圧信号の経時変化を示す押圧信号履歴情報を生成する押圧信号履歴生成手段と、
前記押圧信号履歴情報が閉曲線部を有するか否かを判定する閉曲線部判定手段とを備えることを特徴とする請求項１または２記載の電子ルーペ。
【請求項４】
基準となる閾値よりも低い明度を有する画素を記載画素、前記閾値よりも高い明度を有する前記画素を余白画素とし、前記原稿データを構成する前記画素が前記記載画素または前記余白画素のいずれかに属するかを判定する明度判定手段と、
前記原稿データを、前記記載画素のみから構成される記載データ、及び前記余白画素のみから構成される余白データに分離する分離手段と、
前記第１拡大データの前記表示画像を前記表示部上に表示するための拡大画像表示領域を前記余白データから抽出する拡大画像表示領域抽出手段とを備えることを特徴とする請求項１ないし３いずれか１項記載の電子ルーペ。
【請求項５】
前記余白データが前記表示部に余白画面となって表示され、この余白画面の表示色を変更する表示色変更手段を備えることを特徴とする請求項１ないし４いずれか１項記載の電子ルーペ。
【請求項６】
前記第１電子ルーペ本体が、
前記第１拡大範囲内から第２拡大範囲を指定する第２拡大範囲指定手段と、前記第２拡大範囲内の前記原稿データを第２拡大候補データとして抽出する第２拡大候補データ抽出手段と、前記第２拡大候補データを前記拡大倍率に従って前記拡大変換処理を施し、第２拡大データを生成する第２拡大変換手段とを備える第２拡大データ生成手段と、
前記第１拡大範囲内で前記第２拡大範囲を移動自在にする拡大範囲移動指示手段と、
前記拡大画像表示領域上に前記第１拡大データ全体を表示することが可能であるか否かを判定する表示領域判定手段とを有し、
前記表示領域判定手段が、前記拡大画像表示領域上に前記第１拡大データ全体を表示することが不可能であると判定した場合、
前記第２拡大データ生成手段によって生成される前記第２拡大データが前記拡大画像表示領域に第２拡大画像となって前記表示部に表示され、
前記拡大範囲移動指示手段が、前記表示部に表示されることを特徴とする請求項１ないし５いずれか１項記載の電子ルーペ。
【請求項７】
複数の被関連付け情報を関連付ける付帯情報を生成する前記関連付け手段を有し、
前記被関連付け情報が、前記付帯情報と共に前記表示画像となって前記表示部に表示されることを特徴とする請求項１ないし６いずれか１項記載の電子ルーペ。
【請求項８】
前記被関連付け情報を前記第１拡大候補データと前記第１拡大データとすることを特徴とする請求項７記載の電子ルーペ。
【請求項９】
前記被関連付け情報を前記第２拡大候補データと前記第２拡大データとすることを特徴とする請求項７記載の電子ルーペ。
【請求項１０】
前記第１または第２拡大画像を前記表示部に表示するか否かの表示切替手段を有することを特徴とする請求項１ないし９いずれか１項記載の電子ルーペ。
【請求項１１】
前記原稿データの記録及び読み出しが可能な記憶部を備えることを特徴とする請求項１ないし１０いずれか１項記載の電子ルーペ。
【請求項１２】
通信媒体を介し、外部機器と前記記憶部との通信を可能にする第１通信部を有することを特徴とする請求項１１記載の電子ルーペ。
【請求項１３】
前記記憶部と、前記第１通信部と通信可能な第２通信部とを有し、書籍に脱着自在な書籍付属部材を備えることを特徴とする請求項１１または１２記載の電子ルーペ。
【請求項１４】
前記原稿データを前記記憶部に格納するために、前記原稿データにファイル名を付与するファイル名付与手段を有することを特徴とする請求項１１ないし１３いずれか１項記載の電子ルーペ。
【請求項１５】
複数の前記原稿データの共通部分を検出する共通部分検出手段と、
この共通部分検出手段を重ねるように結合させて、結合データを生成する結合手段とを有することを特徴とする請求項１ないし１４いずれか１項記載の電子ルーペ。
【請求項１６】
前記読み取り部及び前記表示部が、前記操作部上に積層するように形成されることを特徴とする請求項１ないし１５いずれか１項記載の電子ルーペ。
【請求項１７】
前記表示制御部を有する前記フレキシブル基板と、前記フレキシブル基板の上に積層される前記表示部と、前記表示部の上に積層される前記操作部と、各データの送受信を可能にするデータ通信部とを備え、可撓性を有するフィルム状に形成される第２電子ルーペ本体と、
前記データ通信部を有する前記読み取り部と、
前記読み取り部及び前記第２電子ルーペ本体の前記データ通信部の間を接続する前記通信媒体とから構成されることを特徴とする請求項１ないし１６いずれか１項記載の電子ルーペ。
【発明の詳細な説明】
【技術分野】
【０００１】
本発明は、電子ルーペに関するものである。
【背景技術】
【０００２】
近年、電子ペーパ、シート状スキャナなど、可撓性を有する各種電子シートが開発されている。電子ペーパは、表示中に電源の供給が絶たれても、表示が消えることのない性質（不揮発性）を有する表示装置であり、光照射によって書き込みが行われる光書き込み型の電子ペーパが知られている（特許文献１、２参照）。また、有機光ダイオードと有機トランジスタとが積層されてなり、曲がった原稿の文字や絵を読み取ることを可能とするシート状スキャナが知られている（特許文献３、４参照）。
【０００３】
ところで、原稿上に記載される細かい文字や小さな図の拡大画像を表示することができる電子ルーペが知られている。この電子ルーペは複数の光学レンズおよびそれらを保持する保持体から構成される。原稿上に電子ルーペを設置し、この電子ルーペをモニターに接続することで、原稿の拡大画像をモニター上で閲覧することができる。しなしながら、この電子ルーペを用いて原稿の拡大画像を閲覧するためのモニターが、電子ルーペ本体に内蔵されていないため、使い勝手が悪かった。また、電子ルーペに接続されるモニターが容積及び重量があるため、モニターが設置される場所にわざわざ電子ルーペを運ぶ必要があり、使い勝手が悪かった。また、このような拡大画像を閲覧するためには、常に電子ルーペを原稿上に設置しなければならかった。
【特許文献１】特開２００５−１１１８９号公報
【特許文献２】特開平１０−１６１１６１号公報
【特許文献３】特開２００３−３３２５５２号公報
【特許文献４】特開２００４−１６５９７８号公報
【発明の開示】
【発明が解決しようとする課題】
【０００４】
このような問題を鑑み、本発明では、可搬性が良く、使い勝手のよい電子ルーペを提供することを目的とする。
【課題を解決するための手段】
【０００５】
本発明の電子ルーペは、原稿上からの反射光を画像信号として読み取り、この画像信号を原稿データとして出力する読み取り部と、前記読み取り部の上に積層され、前記原稿データから選択的に表示画像信号を抽出する表示制御部を有するフレキシブル基板と、前記フレキシブル基板の上に積層され、前記表示制御部からの前記表示画像信号に基づく表示画像を表示する表示部と、前記表示部の上に積層され、前記表示制御部の操作を可能とし、透過性を有する操作部とから構成され、可撓性を有するフィルム状に形成される第１電子ルーペ本体と、拡大倍率を指定可能な倍率指定手段と、第１拡大範囲を指定可能な第１拡大範囲指定手段と、前記第１拡大範囲内の前記原稿データを第１拡大候補データとして抽出する第１拡大候補データ抽出手段と、前記第１拡大候補データを前記拡大倍率に従って拡大変換処理を施し、第１拡大データを生成する拡大変換手段とを備える第１拡大データ生成手段とを備え、前記第１拡大データ生成手段によって生成される前記第１拡大データが前記第１拡大画像となって前記表示部に表示されることを特徴とする。
【０００６】
前記第１電子ルーペ本体の片面が、前記表示制御部の操作を可能とする操作面と、前記表示制御部からの前記表示画像信号に基づく前記表示画像を表示する表示面を有し、他面が、前記原稿上からの前記反射光を前記画像信号として読み取り可能な読み取り面を有することが好ましい。
【０００７】
前記第１拡大範囲指定手段が、前記操作部上の押圧操作により前記操作部から出力される押圧信号の経時変化を示す押圧信号履歴情報を生成する押圧信号履歴生成手段と、前記押圧信号履歴情報が閉曲線部を有するか否かを判定する閉曲線部判定手段とを備えることが好ましい。
【０００８】
基準となる閾値よりも低い明度を有する画素を記載画素、前記閾値よりも高い明度を有する前記画素を余白画素とし、前記原稿データを構成する前記画素が前記記載画素または前記余白画素のいずれかに属するかを判定する明度判定手段と、前記原稿データを、前記記載画素のみから構成される記載データ、及び前記余白画素のみから構成される余白データに分離可能な分離手段と、前記第１拡大データの前記表示画像を前記表示部上に表示するための拡大画像表示領域を前記余白データから抽出する拡大画像表示領域抽出手段とを備えることが好ましい。
【０００９】
前記余白データが前記表示部に余白画面となって表示され、この余白画面の表示色を変更する表示色変更手段を備えることが好ましい。
【００１０】
前記第１電子ルーペ本体が、前記第１拡大範囲内から第２拡大範囲を指定する第２拡大範囲指定手段と、前記第２拡大範囲内の前記原稿データを第２拡大候補データとして抽出する第２拡大候補データ抽出手段と、前記第２拡大候補データを前記拡大倍率に従って前記拡大変換処理を施し、第２拡大データを生成する第２拡大変換手段とを備える第２拡大データ生成手段と、前記第１拡大範囲内で前記第２拡大範囲を移動自在にする拡大範囲移動指示手段と、前記拡大画像表示領域上に前記第１拡大データ全体を表示することが可能であるか否かを判定する表示領域判定手段とを有し、前記表示領域判定手段が、前記拡大画像表示領域上に前記第１拡大データ全体を表示することが不可能であると判定した場合、前記第２拡大データ生成手段によって生成される前記第２拡大データが前記拡大画像表示領域に第２拡大画像となって前記表示部に表示され、前記拡大範囲移動指示手段が、前記表示部に表示されることが好ましい。
【００１１】
複数の被関連付け情報を関連付ける付帯情報を生成する前記関連付け手段を有し、前記被関連付け情報が、前記付帯情報と共に前記表示画像となって前記表示部に表示されることが好ましい。また、この被関連付け情報が、前記被関連付け情報を前記第１拡大候補データと前記第１拡大データ、或いは、前記被関連付け情報を前記第２拡大候補データと前記第２拡大データとすることが好ましい。
【００１２】
前記第１または第２拡大画像を前記表示部に表示するか否かの表示切替手段を有することが好ましい。
【００１３】
前記原稿データの記録及び読み出しが可能な記憶部を備えることが好ましい。また、通信媒体を介し、外部機器と前記記憶部との通信を可能にする第１通信部を有することが好ましい。更に、前記記憶部と、前記第１通信部と通信可能な第２通信部とを有し、書籍に脱着自在な書籍付属部材を備えることが好ましい。
【００１４】
前記原稿データを前記記憶部に格納するために、前記原稿データにファイル名を付与するファイル名付与手段を有することが好ましい。
【００１５】
複数の前記原稿データの共通部分を検出する共通部分検出手段と、この共通部分検出手段を重ねるように結合させて、結合データを生成する結合手段とを有することが好ましい。
【００１６】
前記読み取り部及び前記表示部が、前記操作部上に積層するように形成されることが好ましい。
【００１７】
前記表示制御部を有する前記フレキシブル基板と、前記フレキシブル基板の上に積層される前記表示部と、前記表示部の上に積層される前記操作部と、各データの送受信を可能にするデータ通信部とを備え、可撓性を有するフィルム状に形成される第２電子ルーペ本体と、前記データ通信部を有する前記読み取り部と、前記読み取り部及び前記第２電子ルーペ本体の前記データ通信部の間を接続する前記通信媒体とから構成されることが好ましい。
【発明の効果】
【００１８】
本発明の電子ルーペによれば、原稿上からの反射光を画像信号として読み取り、この画像信号を原稿データとして出力する読み取り部と、読み取り部の上に積層され、原稿データから選択的に表示画像信号を抽出する表示制御部を有するフレキシブル基板と、フレキシブル基板の上に積層され、表示制御部からの表示画像信号に基づく表示画像を表示する表示部と、表示部の上に積層され、表示制御部の操作を可能とし、透過性を有する操作部とから構成され、可撓性を有するフィルム状に形成される第１電子ルーペ本体と、拡大倍率を指定する倍率指定手段と、第１拡大範囲を指定する第１拡大範囲指定手段と、第１拡大範囲内の原稿データを第１拡大候補データとして抽出する第１拡大候補データ抽出手段と、第１拡大候補データを拡大倍率に従って拡大変換処理を施し、第１拡大データを生成する拡大変換手段とを備える第１拡大データ生成手段とを備え、第１拡大データ生成手段によって生成される第１拡大データが第１拡大画像となって表示部に表示されるため、使い勝手に優れ、携帯が可能な電子ルーペを提供することができる。
【００１９】
第１電子ルーペ本体の片面が、表示制御部の操作を行う操作面と、表示制御部からの表示画像信号に基づく表示画像を表示する表示面を有し、他面が、原稿上からの反射光を画像信号として読み取り可能な読み取り面を有するため、原稿上に電子ルーペをおいた状態で、原稿の読み取り及び原稿の拡大表示画像を閲覧することができる。
【００２０】
第１拡大範囲指定手段が、操作部上の押圧操作により操作部から出力される押圧信号の経時変化を示す押圧信号履歴情報を生成する押圧信号履歴生成手段と、押圧信号履歴情報が閉曲線部を有するか否かを判定する閉曲線部判定手段とを備えるため、第１拡大範囲の指定が容易になる。
【００２１】
基準となる閾値よりも低い明度を有する画素を記載画素、閾値よりも高い明度を有する画素を余白画素とし、原稿データを構成する画素が記載画素または余白画素のいずれかに属するかを判定する明度判定手段と、原稿データを、記載画素のみから構成される記載データ、及び余白画素のみから構成される余白データに分離する分離手段と、第１拡大データの表示画像を表示部上に表示するための拡大画像表示領域を余白データから抽出する拡大画像表示領域抽出手段とを備えるため、表示面全体を有効に使用することができる。
【００２２】
また、余白データが表示部に余白画面となって表示され、この余白画面の表示色を変更する表示色変更手段を備えるため、余白部画面を所望の色で表示することができる。
【００２３】
第１電子ルーペ本体が、第１拡大範囲内から第２拡大範囲を指定する第２拡大範囲指定手段と、第２拡大範囲内の原稿データを第２拡大候補データとして抽出する第２拡大候補データ抽出手段と、第２拡大候補データを拡大倍率に従って拡大変換処理を施し、第２拡大データを生成する第２拡大変換手段とを備える第２拡大データ生成手段と、第１拡大範囲内で第２拡大範囲を移動自在にする拡大範囲移動指示手段と、拡大画像表示領域上に第１拡大データ全体を表示することが可能であるか否かを判定する表示領域判定手段とを有し、表示領域判定手段が、拡大画像表示領域上に第１拡大データ全体を表示することが不可能であると判定した場合、第２拡大データ生成手段によって生成される第２拡大データが拡大画像表示領域に第２拡大画像となって表示部に表示され、拡大範囲移動指示手段が、表示部に表示されるため、表示面全体を有効に利用することができる。
【００２４】
複数の被関連付け情報を関連付ける付帯情報を生成する関連付け手段を有し、被関連付け情報が、付帯情報と共に表示画像となって表示部に表示されるため被関連付け情報の対応付けが容易になる。また、この被関連付け情報が、被関連付け情報を第１拡大候補データと第１拡大データ、或いは、被関連付け情報を第２拡大候補データと第２拡大データとすることにより、複数の第１或いは第２拡大候補画像及び第１或いは第２拡大画像が表示部上に表示された場合において、各画像の対応付けが容易になる。
【００２５】
第１または第２拡大画像を表示部に表示するか否かの表示切替手段を有するため、拡大表示切り替えが容易になる。
【００２６】
原稿データの記録及び読み出しが可能な記憶部を備えるため、読み取り部から読み取った原稿データの持ち運びが容易になる。また、通信媒体を介し、外部機器と記憶部との通信を可能にする第１通信部を有するため、電子ルーペの可搬性を損なわずに、取り扱い可能な原稿データ量が増大する。更に、記憶部と、第１通信部と通信可能な第２通信部とを有し、書籍に脱着自在な書籍付属部材を備えるため、書籍と一体化することが可能になり、可搬性が向上する。このような電子ルーペを用いることにより、書籍の通常の閲覧及び、書籍の所望の部分の拡大画像の閲覧を併用することが容易になる。
【００２７】
原稿データを記憶部に格納するために、原稿データにファイル名を付与するファイル名付与手段を有するため、データの管理を容易にする。
【００２８】
複数の原稿データの共通部分を検出する共通部分検出手段と、この共通部分検出手段を重ねるように結合させて、結合データを生成する結合手段とを有するため、電子ルーペの読み取り面の面積に制限されず、この読み取り面よりも大きな面積を有する原稿を読み取り、１つの原稿データとすることができる。
【００２９】
読み取り部及び表示部が、操作部上に積層するように形成されるため、読み取り部及び表示部の使用部材の量が少なくなり、結果として、製造コストの安価な電子ルーペを提供することができる。
【００３０】
表示制御部を有するフレキシブル基板と、フレキシブル基板の上に積層される表示部と、表示部の上に積層される操作部と、各データの送受信を可能にするデータ通信部とを備え、可撓性を有するフィルム状に形成される第２電子ルーペ本体と、データ通信部を有する読み取り部と、読み取り部及び第２電子ルーペ本体のデータ通信部の間を接続する通信媒体とから構成されるため、可搬性が向上する。
【発明を実施するための最良の形態】
【００３１】
本発明の第１の実施形態について説明する。図１及び図２に示すように、電子ルーペ１０は、フレキシブル基板１１の片面上に、電子ペーパ１２と、タッチパネル１３が順次積層するように形成される。電子ペーパ１２上に形成されるタッチパネル１３は透過性の高い材料から形成されるため、電子ルーペ１０の前面１４は、表示画像を表示する表示面及び電子ルーペ１０の操作を行うための操作面を有する。一方、フレキシブル基板１１の他面上にスキャナ部１５が形成されるため、電子ルーペ１０の背面１６は原稿の反射光を読み取り可能な読み取り面を有する。これらフレキシブル基板１１、電子ペーパ１２、タッチパネル１３及びスキャナ部１５は可撓性を有するため、電子ルーペ１０も可撓性を有する。
【００３２】
電子ルーペ１０の側面にはメモリカードスロット１９が設けられ、メモリカード１８はこのメモリカードスロット１９に脱着自在に装填される。また、入力ペン２０は、タッチパネル１３の表面を押圧するためのものである。アンテナ２１は、外部機器とのデータの送受信を行うためのものである。
【００３３】
フレキシブル基板１１上には、制御部３０、ＲＯＭ３１、ＲＡＭ３２、押圧信号処理部３３、表示制御部３４、結合処理部３５及び関連付け部３６などの処理部や、これら各処理部と電子ペーパ１２、タッチパネル１３、スキャナ部１５及びメモリカード１８とを接続する電気回路が設けられている（図３）。メモリカード１８はメディアコントローラ３７を経由して、アンテナ２１は通信部３８を経由して制御部３０と接続されている。制御部３０は、ＲＯＭ３１に記憶されたシーケンスプログラムをワークメモリであるＲＡＭ３２に読み出して実行する。
【００３４】
スキャナ部１５は、制御部３０からスキャン開始信号を受け取ると、原稿上からの反射光を、読み取り面を介し、画像信号として読み取る。この画像信号はスキャナ部１５の光電変換により制御部３０に出力される。この制御部３０は、画像信号を原稿データとしてＲＡＭ３２に格納する。更に、制御部３０の制御下において、メディアコントローラ３７は、この原稿データをメモリカード１８に格納する。
【００３５】
タッチパネル１３が押圧操作されると、タッチパネル１３上の押圧操作の位置情報が含まれている押圧信号が、タッチパネル１３から制御部３０に出力される。制御部３０がこの押圧信号を検出すると、制御部３０の制御の下、押圧信号処理部３３は、この押圧信号の記録を開始し、押圧信号の経時変化に基づく押圧信号履歴情報を生成し、制御部３０に出力する。
【００３６】
表示制御部３４は、文字判定部４１、閉曲線判定部４２、拡大候補データ抽出部４６、拡大変換部４７、余白抽出部４８、拡大画像表示領域抽出部４９及び表示色変更部５０を備えており、これらが原稿データなどに所定の処理を施す。そのため、表示制御部３４は、メモリカード１８から読み取った原稿データをそのまま表示画像信号として出力するだけでなく、これら各処理を原稿データに施すことによって得られる第１〜第２拡大候補データ、第１〜第２拡大データなどの各データ及び原稿データの中から選択的に抽出したものを表示画像信号として出力する。電子ペーパ１２は、この表示画像信号に基づく表示画像を表示する。
【００３７】
文字判定部４１は、この押圧信号履歴情報を読み込み、予めＲＯＭ３１に記憶された文字パターンデータとの照合する文字判定処理を行い、当該押圧信号履歴情報から文字を判定する。この文字パターンデータには、ひらがな、カタカナ、漢字、数字及びアルファベットなどの各文字の形状（文字パターン）について定義されている。文字判定部４１は、この文字判定処理によって判定された文字に基づいてく判定文字情報を生成し、この判定文字情報を制御部３０に出力する。
【００３８】
閉曲線判定部４２は、押圧信号履歴情報に閉曲線判定処理を施し、閉曲線判定処理によって判定された閉曲線部を抽出する閉曲線抽出処理を施す。図４に示すように、閉曲線判定処理では、押圧信号履歴情報ＬＤ１、ＬＤ２が閉曲線部を有するか否かの判定を行う。図４（Ａ）に示す押圧信号履歴情報ＬＤ１は、閉曲線判定処理において、閉曲線部を有さない押圧信号履歴情報と判定される。一方、図４（Ｂ）に示す閉曲線判定処理において、押圧信号履歴情報ＬＤ２は閉曲線部を有する押圧信号履歴情報と判定される。制御部３０は、この閉曲線判定処理において閉曲線部と判定された閉曲線部ＡＤ１を第１拡大範囲としてＲＡＭ３２に格納する。
【００３９】
図３に示す拡大候補データ抽出部４６は、第１及び第２拡大範囲内にある原稿データを第１及び第２拡大候補データとして抽出する拡大候補データ抽出処理を行う。第１拡大範囲は、前述した閉曲線判定部４２による閉曲線判定処理から得られ、第２拡大範囲は、制御部３０による所定の処理によって得られる。拡大変換部４７は、第１及び第２拡大候補データを、タッチパネル１３から指定される拡大倍率に基づいて拡大変換する拡大変換処理を行う。この拡大変換処理によって、第１及び第２拡大候補データから第１及び第２拡大データが生成される。
【００４０】
余白抽出部４８は、原稿データ或いは拡大候補データの余白部分を抽出するための明度判定処理、分離処理を行う。明度判定処理は、原稿データを構成する画素の明度を、基準となる明度の閾値と比較し、閾値よりも高い明度を有する画素及び低い明度を有する画素を、それぞれ余白画素及び記載画素と判定する。この明度判定処理によって生成される明度判定情報には、その画素が余白画素に属するか否かの情報が含まれる。一方、分離処理は、この明度判定情報に基づいて、原稿データを、余白画素のみから構成される余白データ、及び、記載画素のみから構成される記載データの２つデータに分離する処理である。
【００４１】
例えば、図１９（Ａ）の原稿データＳＤ２に明度判定処理を施すと、図１９（Ｂ）のように、分離処理が行われた原稿データＳＤ２の各画素は、明度の高い画素ＨＧと明度の低い画素ＬＧに振り分けられる。分離処理では、これらの画素ＨＧからなる余白データＢＧＤ１と、画素ＬＧからなる記載データＰＲＤ１に分離され（図１９（Ｃ））、余白データＢＧＤ１及び記載データＰＲＤ１はＲＡＭ３２に格納される。制御部３０の制御の下で、メディアコントローラ３７は、これらの余白データＢＧＤ１及び記載データＰＲＤ１をメモリカード１８に格納する。
【００４２】
図３に示す拡大画像表示領域抽出部４９は、この余白データから拡大画像表示領域を抽出する。表示制御部３４は、この第１或いは第２拡大データを拡大画像表示領域に配置するように表示画像信号を生成する。表示制御部３４により、この表示画像信号が電子ペーパ１２に出力されると、電子ペーパ１２上の拡大画像表示領域に第１或いは第２拡大画像が表示される。
【００４３】
表示色変更部５０は、制御部３０の制御の下、各データに付与される表示色情報に基づく表示色に変換する表示色変換処理を施す。この表示色変換処理が実行されると、表示色変更部５０は、当該データの余白データを表示色情報に基づいて表示色変換処理を行う。表示制御部３４が、この表示色変換処理が施された余白データを表示画像信号として出力すると、電子ペーパ１２は、当該データの余白部分を表示色情報に基づく色で表示する。
【００４４】
関連付け部３６は、関連付け情報を生成し、第１〜第２拡大候補データに関連付け情報を付与する関連付け処理を行う。この関連付け情報には、データごとに異なる表示色が定義される表示色情報が含まれている。関連付け処理を施された第１〜第２拡大候補データが、表示画像信号として出力されると、第１〜第２拡大候補データの表示画像が、関連付け情報に基づく表示色で電子ペーパ１２に表示される。
【００４５】
結合処理部３５は、複数の記載データが有する画素の配置パターンに共通部分が存在するか否かを判定する共通部分検出処理と、この共通部分を重ねるように複数の記載データを結合させる結合処理を行う。
【００４６】
通信部３８はアンテナ２１と接続され、パーソナルコンピュータなどの外部機器とのデータ通信を可能にする各種コントローラ、ドライバ、コネクタから構成される。この通信部３８とアンテナ２１が外部機器とのデータの送受信を可能にする。
【００４７】
次に、電子ルーペ１０の作用について説明する。電子ルーペ１０の電源スイッチを押下すると、電子ルーペ１０に電源が投入され、電子ペーパ１２に、入力用ＧＵＩ画面（Graphic User Interface）であるメニュー画面が表示される。このメニュー画面には、電子ルーペが有する各モードを選択するためのモード操作ボタンが表示される。モード操作ボタンを押圧すると、電子ルーペ１０の動作状態は所定のモードに遷移する。
【００４８】
このメニュー画面などの入力用ＧＵＩ画面は、電子ルーペ１０の操作を行うために用いられる。この入力用ＧＵＩ画面の元となる入力用ＧＵＩデータは、予めＲＯＭ３１に格納されている。この入力用ＧＵＩデータには、各操作ボタンまたは各入力有効領域の表示位置、及び操作ボタンなどが操作されたときの処理が定義される。制御部３０の制御の下、表示制御部３４が、この入力用ＧＵＩデータを表示画像信号として出力することにより、入力用ＧＵＩ画面が電子ペーパ１２上の所定の位置に表示される。
【００４９】
電子ペーパ１２に表示される操作ボタンが操作され、制御部３０がこの操作による押圧信号を読み取ると、制御部３０は、押圧信号に含まれる押圧操作の位置情報と、当該入力用ＧＵＩ画面に対応する入力用ＧＵＩデータを照合し、この操作ボタンに定義される処理を行う。このようにして、この電子ペーパ１２に表示される操作ボタンの操作を、タッチパネル１３から行うことができる。また、入力有効領域は、入力ペン２０などを用いて、タッチパネル１３上をなぞる操作により所定の処理を行う入力用ＧＵＩ画面である。押圧信号処理部３３は、この入力有効領域における押圧信号から押圧信号履歴情報を生成し、この押圧信号履歴情報は、表示制御部３４を介して、押圧信号履歴画像となって電子ペーパ１２に表示されると同時に、文字判定処理や閉曲線判定処理などの各処理が施される。
【００５０】
電子ルーペ１０には、登録モード、表示モード、及び結合モードを有する。登録モードは、スキャナ部１５を用いて原稿データの作成を行い、この原稿データにファイル名を付与してメモリカード１８に格納するモードである。表示モードは、メモリカード１８に格納される原稿データ、及び、この原稿データの拡大データに基づいた表示画像を電子ペーパ１２に表示するモードである。結合モードは、２つの原稿データの共通部分を重ね合わせ、１つの原稿データに結合するモードである。
【００５１】
登録モードは、スキャナ部１５を用いて原稿データの作成をする原稿データ作成処理、この原稿データにファイル名を付与するファイル名付与処理、及びこの原稿データをメモリカード１８に格納する原稿データ保存処理の各処理が実行される。
【００５２】
電子ルーペ１０の動作状態が登録モードに遷移すると、スキャン開始ボタンが電子ペーパ１２上に表示される。図５のように電子ルーペ１０を本５３の間に挟み込み、所望の原稿５４と電子ルーペ１０の背面１６が密着するように設置する。スキャン開始ボタンを押下すると、制御部３０にスキャン開始信号が入力され、スキャナ部１５により原稿５４の反射光が画像信号として読み込まれる。スキャナ部１５は、この画像信号を原稿データＳＤ１として制御部３０に出力する。この原稿データＳＤ１は、表示制御部３４により表示画像信号となって出力される。電子ペーパ１２は、この表示画像信号に基づく原稿画像ＳＤＧ１を表示する。
【００５３】
次に、制御部３０は、得られた原稿データＳＤ１にファイル名付与処理を施す。このファイル名付与処理には、キーボード入力処理、ペン入力処理及び自動付与処理の３つのファイル名付与方法があり、これらのファイル名付与方法を選択する操作ボタンが電子ペーパ１２上に表示される。制御部３０がこの各操作ボタンが押下されたことを検出すると、所定のファイル名付与処理を実行し、ファイル名とともに原稿データＳＤ１をメモリカード１８に格納する。
【００５４】
キーボード入力処理を実行すると、図６のように、原稿画像ＳＤＧ１、入力用ＧＵＩ画面であるキーボード画面ＫＬ１、ファイル名表示画面ＦＮＷ１、及び決定ボタンＥＢ１が電子ペーパ１２上に表示される。このキーボード画面ＫＬ１には、パーソナルコンピュータなどに用いられるキーボードボタンのように、複数の操作ボタンが配列されている。制御部３０は、タッチパネル１３からの押圧信号と、ＲＯＭ３１に格納されるキーボード画面データを照合して、キーボード画面ＫＬ１上の押圧操作によって入力された文字を特定する。このような処理によって特定された文字は、表示制御部３４を介して、電子ペーパ１２上のファイル名表示画面ＦＮＷ１に表示される。このように、キーボード画面ＫＬ１からの文字の入力操作を繰り返し行い、所望のファイル名を入力する。ファイル名の入力後、決定ボタンＥＢ１を押下すると、入力したファイル名が原稿データＳＤ１に付与される。
【００５５】
ペン入力処理を実行すると、図７のように、文字入力領域Ｗ１、ファイル名表示画面ＦＮＷ２、及び決定ボタンＥＢ２が電子ペーパ１２上に表示される。文字判定部４１は、この文字入力領域Ｗ１の押圧操作により得られる押圧信号履歴情報と、予めＲＯＭ３１に格納された文字パターンデータとを照合する文字判定処理を行う。このような文字判定処理によって特定された文字は、表示制御部３４を介して、電子ペーパ１２上のファイル名表示画面ＦＮＷ２に表示される。このように、文字入力領域Ｗ１の押圧操作を繰り返し行い、所望のファイル名を入力する。ファイル名の入力後、決定ボタンＥＢ２を押下すると、入力したファイル名が原稿データＳＤ１に付与される。
【００５６】
自動付与処理が実行されると、制御部３０はメモリカード１８に格納されるファイル名付与履歴に従って、各データにファイル名を付与する。このファイル名付与履歴には、ファイル名のデータ形式を定義する形式定義情報と、過去に原稿データに付与されたファイル名の履歴である履歴情報から構成される。制御部３０は、形式定義情報に従って履歴情報に存在しないファイル名を生成する。生成した新しいファイル名は、原稿データＳＤ１に付与されると同時に、履歴情報に追記される。
【００５７】
表示モードでは、原稿データを表示する原稿データ表示処理、拡大データの作成及び表示を行う拡大データ作成／表示処理、この拡大データの表示方法を選択する拡大表示切替処理、原稿画像及び拡大画像の表示色を変更する表示色変更処理、及び、拡大倍率変更処理が実行される。
【００５８】
図８のように、電子ルーペ１０の動作状態が表示モードに遷移すると、表示画面Ｇ１が電子ペーパ１２に表示される。この表示画面Ｇ１は、メモリカード１８から選択された原稿データＳＤ１の原稿画像である原稿画像ＳＤＧ１、拡大表示切替処理ボタンＢＴ１、拡大データ作成／表示ボタンＢＴ２、及び表示色変更ボタンＢＴ３、拡大倍率変更ボタンＢＴ４から構成される。
【００５９】
拡大表示切替ボタンＢＴ１は、表示モードにおける第１〜第２拡大データの表示方法である第１〜第３表示方法から１つの表示方法を選択する操作ボタンである。この拡大表示切替ボタンＢＴ１を１回押下するごとに、電子ルーペ１０の表示方法は、第１、第２、第３表示方法と順次選択される。電子ルーペ１０の表示方法が３表示方法であるときに、拡大表示切替ボタンＢＴ１が押下されると、電子ルーペ１０の表示方法は第１表示方法に戻る。第１表示方法では、電子ペーパ１２上に、第１〜第２拡大データの表示画像である第１〜第２拡大画像のみを表示可能とし、第２表示方法では、第１〜第２拡大画像、第１〜第２拡大候補データの表示画像である第１〜第２拡大候補画像、及び原稿画像を表示可能とし、第３表示方法では、原稿画像のみを表示可能とする。
【００６０】
拡大データ作成／表示ボタンＢＴ２を押下すると、拡大データ作成／表示処理が実行される。はじめに、電子ペーパ１２上に表示される原稿画像ＳＤＧ１全体が入力有効領域となり、タッチパネル１３からの操作が有効となる。次に、原稿画像ＳＤＧ１上の拡大したい部分を、入力ペン２０などで囲み、第１拡大範囲を指定する。この第１拡大範囲の指定操作によって生成される押圧信号は、押圧信号画像ＬＤＧ３となって電子ペーパ１２上に表示される。これらの操作により、電子ペーパ１２は、操作ボタンＢＴ１〜ＢＴ４に加えて、原稿画像ＳＤＧ１及び、押圧信号履歴画像ＬＤＧ３から構成される表示画像Ｇ２を表示する（図９）。
【００６１】
第３に、制御部３０は、この第１拡大範囲の指定操作によって生成される押圧信号履歴情報ＬＤ３に閉曲線判定処理を施し、第１拡大範囲ＦＷＡ３を得る。第４に、拡大候補データ抽出部４６が、第１拡大範囲ＦＷＡ３及び原稿データＳＤ１に第１拡大候補データ抽出処理を施し、第１拡大範囲ＦＷＡ３内にある原稿データＳＤ１を第１拡大候補データＦＫＤ３として抽出すると同時に、関連付け部３６は、第１拡大候補データＦＫＤ３に表示色情報ＣＬＤ３を含む関連付け情報を付与する。この操作により、電子ペーパ１２上には、表示画像Ｇ３が表示される。この表示画像Ｇ３は、第１拡大候補データＦＫＤ３に対応する第１拡大候補画像ＦＫＤＧ３、原稿画像ＳＤＧ１及び操作ボタンＢＴ１〜ＢＴ４から構成される（図１０）。
【００６２】
第５に、この第１拡大候補データＦＫＤ３は、拡大変換部４７の拡大変換処理によって、所定の拡大倍率に基づいて拡大変換され、第１拡大データＦＷＤ３となる。最後に、第１拡大データＦＷＤ３は表示制御部３４によって表示画像信号として出力され、第１拡大画像ＦＷＤＧ３となって電子ペーパ１２に表示される。図１１のように、第１表示方法では、この第１拡大画像ＦＷＤＧ３及び操作ボタンＢＴ１〜ＢＴ４から構成される表示画像Ｇ４が電子ペーパ１２に表示される。
【００６３】
この状態において、拡大表示切替ボタンＢＴ２が押下されると、電子ルーペ１０の表示方法が第２表示方法に切り替わる。この操作によって、制御部３０の制御の下、余白抽出部４８が、原稿データＳＤ１に明度判定処理、分離処理を施し、余白データを得る。拡大画像表示領域抽出部４９は、この余白データから拡大画像表示領域ＷＡ３を抽出する。この処理後、電子ペーパ１２には、拡大画像表示領域ＷＡ３内に配置される第１拡大画像ＦＷＤＧ３、原稿画像ＳＤＧ１、第１拡大候補画像ＦＫＤＧ３及び操作ボタンＢＴ１〜ＢＴ４から構成される表示画像Ｇ５が表示される（図１２）。
【００６４】
図１３のように、第２表示方法が選択される電子ルーペ１０において、第１拡大データＦＷＤ３と同様に生成された第１拡大データＦＷＤ４の全体が、制御部３０による表示領域判定処理により、拡大画像表示領域ＷＡ４上に表示することが不可能であるとみなされた場合、制御部３０の制御の下、第２拡大データの生成処理が実行される。
【００６５】
第２拡大データの生成処理は次のように行われる。第１に、制御部３０が、第２拡大範囲ＳＷＡ４を第１拡大範囲ＦＷＡ４内に設ける。第２に、拡大候補データ抽出部４６が、原稿データＳＤ１に拡大候補データ抽出処理を施し、第２拡大範囲ＳＷＡ４内にある原稿データＳＤ１を第２拡大候補データＳＫＤ４として抽出する。第３に、この第２拡大候補データＳＫＤ４は、拡大変換部４７の拡大変換処理によって、所定の拡大倍率に基づいて拡大変換され、第２拡大データＳＷＤ４となる。第４に、第２拡大データＳＷＤ４が、表示制御部３４により、第２拡大画像ＳＷＤＧ４となって、電子ペーパ１２の拡大画像表示領域ＷＡ４に出力される（図１３）。
【００６６】
制御部３０は、ＲＯＭ３１から読み込んだスクロールバーデータを表示制御部３４に出力する。表示制御部３４は、このスクロールバーデータに基づくスクロールバーＳＢ０を、この第２拡大画像ＳＷＤＧ４の周囲に表示する。このスクロールバーＳＢ０の操作により、当該拡大画像表示領域内に表示される第１拡大データＦＷＤ４全体の閲覧を可能にする。このスクロールバーＳＢ０は、第２拡大範囲ＳＷＡ４を第１拡大範囲ＦＷＡ４内で移動自在にするスクロールボタンＳＢ１〜ＳＢ４から構成される。これらのスクロールスイッチＳＢ１〜ＳＢ４を押圧することにより、第２拡大範囲ＳＷＡ４が第１拡大範囲ＦＷＡ４内で所定の方向に移動する。制御部３０の制御の下、表示制御部３４は、第２拡大範囲ＳＷＡ４の位置変更に追従して、新たな第２拡大範囲に対応する第２拡大データを抽出し、新たな第２拡大データに置き換えた表示画像信号を出力する。電子ペーパ１２は、この表示画像信号に基づいて、新たな第２拡大画像に置き換えられた表示画像を表示する。
【００６７】
電子ペーパ１２に表示画像Ｇ６が表示される状態において、拡大表示切替ボタンＢＴ２が押下されると、電子ルーペ１０の表示方法が第３表示方法に切り替わり、電子ペーパ１２上における、第１拡大候補画像ＦＫＤＧ３及び第１拡大画像ＦＷＤＧ３の表示が不可となるため、図８に示す表示画面Ｇ１のように、電子ペーパ１２には原稿画像ＳＤＧ１及び操作ボタンＢＴ１〜ＢＴ４が表示される。
【００６８】
電子ルーペ１０の表示方法が第１〜第２表示方法のいずれかであるときに、拡大倍率変更ボタンＢＴ４が押下されると、この拡大倍率変更用の入力用ＧＵＩ画面が電子ペーパ１２に表示され、この入力用ＧＵＩ画面からの操作により拡大倍率を変更することができる。制御部３０の制御の下、表示制御部３４は、新しい拡大倍率に基づく拡大変換処理によって得られる第１拡大データに置き換えた表示画像信号を出力する。電子ペーパ１２には、この表示画像信号に基づき、新たな第１拡大画像を電子ペーパ１２の拡大画像表示領域上に表示する。
【００６９】
また、制御部３０が、表示色変更ボタンＢＴ３が押下されると、電子ペーパ１２は所望の表示色を選択可能な入力用ＧＵＩ画面を表示する。この入力用ＧＵＩ画面を用いて、タッチパネル１３から所望の表示色を選択操作することにより、表示色情報を得る。次に、原稿データに余白抽出部４８の明度判定処理及び分離処理を施し、余白データと記載データを得る。第３に、表示色変更部５０は、表示色情報に従う表示色変換処理を余白データに施し、新たな余白データを得る。この余白データと記載データから再構成された新たな原稿データは、表示画像信号となって出力される。このようにして電子ペーパ１２に表示される原稿画像の余白部分は、表示色情報で定義される色で表示される。
【００７０】
図１４のように、この表示画面Ｇ７にある第１拡大画像ＦＷＤＧ５、ＦＷＤＧ６は、前述した拡大データ作成／表示処理を用いて原稿データＳＤ１上に設定される２つの第１拡大範囲ＦＷＡ５，ＦＷＡ６から生成される。この第１拡大範囲ＦＷＡ５，ＦＷＡ６から抽出される第１拡大候補データＦＫＤ５、ＦＫＤ６には、関連付け部３６によって関連付け情報ＣＬＤ５、ＣＬＤ６が付与されている。この関連付け情報ＣＬＤ５に青色、ＣＬＤ６には赤色が定義されている。この第１拡大候補データＦＫＤ５、ＦＫＤ６から生成される第１拡大候補画像ＦＫＤＧ５、ＦＫＤＧ６及び第１拡大画像ＦＷＤＧ５、ＷＦＤＧ６の余白部分は、関連付け情報ＣＬＤ５、ＣＬＤ６に従う青色及び赤色で表示される。このような表示色情報を含む関連付け情報により、複数の第１拡大候補画像と第１拡大画像の対を視覚的に区別することができる。
【００７１】
電子ルーペ１０の動作状態が結合モードに遷移すると、結合処理が行われる。制御部３０の制御の下、余白抽出部４８はメモリカード１８から選択される複数の断片データに明度判定処理及び分離処理を施し、２対の記載データと余白データを得る。結合処理部３５は、２つの記載データを照合し、記載データが重なり合う共通部分を検出する共通部分検出処理を行う。共通部分検出処理によって判定された共通部分は、同一の原稿から得られた断片データであると判定される。結合処理では、これら記載データの共通部分を重ねるようにして１つの結合データに結合する。このように、共通部分検出処理及び結合処理を繰り返し行うことにより、１つの原稿を複数回に分けて読み取って得られる複数の断片データから１つの原稿データを作成することができる。
【００７２】
次に、第１拡大範囲の指定操作における閉曲線判定処理のフローチャートを図１５に示す。押圧信号処理部３３がタッチパネル１３上からの押圧信号を検出すると（ステップＳ４００）、押圧信号処理部３３が押圧信号履歴情報を生成する（ステップＳ４１０）。制御部３０が押圧信号履歴情報を検出すると、制御部３０の制御の下、表示制御部３４がこの押圧信号履歴情報を表示部１２へ出力する。電子ペーパ１２は、この押圧信号履歴情報に基づく押圧信号履歴画像を表示する（ステップＳ４２０）。制御部３０が押圧信号の入力を検出しつづけている間、これら押圧信号履歴情報の生成及び押圧信号履歴画像の表示が連続して行われる（ステップＳ４１０〜Ｓ４３０）。制御部３０が、この押圧信号が途絶えたこと検出すると、閉曲線判定部４２が、この押圧信号履歴情報が閉曲線部を有するか否かの判定処理を行う（ステップＳ４４０）。この閉曲線判定処理において、閉曲線部を有さないと判定された押圧信号履歴情報は破棄され、再度閉曲線の指定の行う旨を電子ペーパ１２上に表示し（ステップＳ４５０）、電子ルーペ１０の動作状態はステップＳ４００に戻る。この閉曲線判定処理において、閉曲線部を有すると判定された押圧信号履歴情報は、制御部３０の制御の下、ＲＡＭ３２に格納され（ステップＳ４６０）、閉曲線判定処理が終了する。
【００７３】
上記実施形態では、表示部を電子ペーパと記載したが、これに限らず、有機ＥＬパネルなど可撓性を有する他の表示部を用いてもよい。
【００７４】
上記実施形態では、拡大データの表示切り替え処理を一括に行うと記載したが、個々の拡大データに拡大表示切替処理を行ってもよい。
【００７５】
上記実施形態では、表示色変更手段が、各データの余白部分の表示色を変更すると記載したが、これに限らず、記載部分、或いはデータ全体の表示色を変更してもよい。
【００７６】
関連付け部３６は、第１拡大候補データに表示色情報を付与することにより、第１拡大候補画像及び第１拡大画像の余白部分が表示色情報に基づく色で表示されると記載したが、これに限らず、第１拡大範囲及び拡大画像領域を示す第１拡大範囲枠及び拡大画像領域枠を表示し、これら第１拡大範囲枠及び拡大画像領域枠に関連付け情報を付与し、この第１拡大範囲枠及び拡大画像領域枠を表示色情報に基づく色で表示してもよい。また、関連付けられた第１拡大範囲枠及び拡大画像領域枠を視覚的に結びつけるような補助的な画像（例えば、吹き出しなど）を第１拡大範囲枠及び拡大画像領域枠に付加して表示してもよい。なお、関連付ける対象は第２拡大画像と、第１或いは第２拡大候補データでもよい。
【００７７】
表示領域判定によって、拡大画像表示領域上で第１拡大データ全体の表示が不可能と判定された場合に、スクロールバーを追加表示するだけでなく、拡大画像表示領域を再設定する、または、拡大倍率を再設定する、或いはこれら両者を組み合わせてもよい。
【００７８】
電子ルーペ１０にメモリカード１８を内蔵する替わりに、図２０のように、記憶部６０を有するブックカバー６１に、電子ルーペ６２を接続させて利用してもよい。このブックカバー６１及び電子ルーペ６２に備えられる通信用のアンテナ６３、６４を介してブックカバー６１と電子ルーペ６２の間の通信を行うことができる。また、電子ルーペ６２は、原稿の反射光を原稿データとして読み取り可能な読み取り面である背面６５、及び、この原稿データに基づいた原稿画像が表示される表示面と、各操作を行うための操作面を有する前面６６から構成される。このブックカバー６１で閲覧したい書籍を覆い、所望のページに背面６３が密着するように電子ルーペ６２を設置する。背面６５から読み取られた原稿データは、そのまま前面６６に表示されると同時に、アンテナ６３、６４を介して記憶部６０に格納される。このようなブックカバー６１及び電子ルーペ６２は、書籍と一体化することが可能になり、可搬性が向上する。
【００７９】
上記実施形態では、スキャナ部１５を内蔵する電子ルーペ１０について記載したが、これに限らず、スキャナ部８１と電子ルーペ本体８４が分離した形態でもよい。図１６及び図１７に示すように、電子ルーペ８０は、スキャナ部８１と電子ルーペ本体８４から構成され、スキャナ部８１と電子ルーペ本体８４の間はケーブル８５によって接続される。電子ルーペ本体８４及びスキャナ部８１に内蔵される通信部とケーブル８５からなる通信手段は、スキャナ部８１と電子ルーペ本体８４間における各データの送受信を可能にする。電子ルーペ本体８４は、フレキシブル基板８７上に、電子ペーパ８８、タッチパネル８９と順次重ねられる。フレキシブル基板８７、電子ペーパ８８及びタッチパネル８９は可撓性を有するため、電子ルーペ本体８４も可撓性を有する。タッチパネル８９は透過性のよい材料から形成されるため、電子ルーペ本体８４の前面９０は、操作面と表示面を有する。また、入力ペン９３は、タッチパネル８９の表面を押圧するためのものである。アンテナ９４は、外部機器とのデータの送受信を行うためのものである。
【００８０】
このようにスキャナ部８１と電子ルーペ本体８４が分離してなる電子ルーペ８０は、図１６のように、スキャナ部８１を小型にすることが可能となる。また、原稿９５を複数回に分けて断片データを得て、これら断片データを電子ルーペ本体８４に内蔵される余白抽出部及び結合処理部を用いて１つの原稿データＳＤ４を得ることができる。
【図面の簡単な説明】
【００８１】
【図１】本発明の第１実施形態である電子ルーペの斜視図である。
【図２】電子ルーペの断面図である。
【図３】電子ルーペのブロック図である。
【図４】（Ａ）は、閉曲線判定部によって閉曲線部を有さないと判定される押圧信号履歴画像を示す説明図である。（Ｂ）は、閉曲線判定部によって閉曲線部を有すると判定される押圧信号履歴画像を示す説明図である。
【図５】電子ルーペの読み取り面から原稿データの取り込みを行う様子を示す斜視図である。
【図６】キーボード入力処理によって原稿データにファイル名が入力される様子を示す説明図である。
【図７】ペン入力処理によって原稿データにファイル名が入力される様子を示す説明図である。
【図８】電子ルーペの動作状態が表示モードに遷移したときに電子ペーパ１２に表示される表示画像を示す説明図である。
【図９】拡大データ作成／表示処理において、第１拡大範囲を指定する様子を示す説明図である。
【図１０】拡大データ作成／表示処理において、第１拡大範囲から生成される第１拡大候補画像が表示される様子を示す説明図である。
【図１１】第１表示方法において、第１拡大画像が電子ペーパに表示される様子を示す説明図である。
【図１２】第２表示方法において、原稿画像及び第１拡大画像が電子ペーパに表示される様子を示す説明図である。
【図１３】拡大画像表示領域上に第２拡大画像が表示され、拡大画像表示領域の縁にスクロールバーが表示される様子を示す説明図である。
【図１４】第１拡大候補画像及び第１拡大画像に関連付け情報が付与され、第１拡大候補画像及び第１拡大画像が、この関連付け情報に含まれる表示色情報に基づく色で、電子ペーパ１２に表示される様子を示す説明図である。
【図１５】閉曲線判定処理のフローチャートである。
【図１６】本発明の第２実施形態である電子教科書の斜視図である。
【図１７】第２実施形態である電子教科書の断面図である。
【図１８】複数の断片データに結合処理を施し、複数の断片原稿データから得られる原稿データが電子ペーパに表示される示す平面図である。
【図１９】（Ａ）は、スキャナ部によって読み込まれた原稿データを示す図である。（Ｂ）は、図１９（Ａ）のＢ部を拡大した拡大図である。（Ｃ）は、分離処理部を用いて、図１９（Ａ）に示す原稿データから得られる記載データと余白データを示す図である。
【図２０】電子ルーペと、電子ルーペと通信可能な記憶部を有するブックカバーの概観を示す斜視図である。
【符号の説明】
【００８２】
１０、６２、８０  電子ルーペ
１１、８７  フレキシブル基板
１２、８８  電子ペーパ
１３、８９  タッチパネル
１４、６６、９０  前面
１５、８１  スキャナ部
１６、６５  背面
１８  メモリカード
２１、６３、６４、９４  アンテナ
３０  制御部
３１  ＲＯＭ
３２  ＲＡＭ
３３  押圧信号処理部
３４  表示制御部
３５  結合処理部
３６  関連付け部
３７  メディアコントローラ
３８  通信部
４１  文字判定部
４２  閉曲線判定部
４６  拡大候補データ抽出部
４７  拡大変換部
４８  余白抽出部
４９  拡大画像表示領域抽出部
５０  表示色変更部
６０  記憶部
６１  ブックカバー
８４  電子ルーペ本体
８５  ケーブル
【図１】
2007034824.tif 000003
【図２】
2007034824.tif 000004
【図３】
2007034824.tif 000005
【図４】
2007034824.tif 000006
【図５】
2007034824.tif 000007
【図６】
2007034824.tif 000008
【図７】
2007034824.tif 000009
【図８】
2007034824.tif 000010
【図９】
2007034824.tif 000011
【図１０】
2007034824.tif 000012
【図１１】
2007034824.tif 000013
【図１２】
2007034824.tif 000014
【図１３】
2007034824.tif 000015
【図１４】
2007034824.tif 000016
【図１５】
2007034824.tif 000017
【図１６】
2007034824.tif 000018
【図１７】
2007034824.tif 000019
【図１８】
2007034824.tif 000020
【図１９】
2007034824.tif 000021
【図２０】
2007034824.tif 000022